(57)【要約】【課題】油汚染された廃白土含有土壌を洗浄することによって、浄化廃白土含有土壌と廃棄油とを確実に分離すると共にそれぞれを適切に処理することでコスト低減と二次汚染の防止を達成できる廃白土含有土壌の汚染油洗浄法と汚染油洗浄施設を提供する。【解決手段】本発明による廃白土含有土壌の汚染油洗浄法と汚染油洗浄施設１は、廃白土含有土壌５を洗浄水６の充填された洗浄槽２に投入しており、次いで、洗浄水６を追加しながら廃白土含有土壌５を攪拌洗浄して、洗浄槽２に浮上する油分層１０を隣接している油分槽３に越流させている。本汚染油洗浄法では、しかる後に、洗浄槽中の泥水１２を槽外に除去して廃白土含有土壌と油分とを分離している。【選択図】　図２
2004089792.tif 000002
【特許請求の範囲】
【請求項１】
廃白土含有土壌を洗浄水の充填された洗浄槽に投入し、次いで、洗浄水を追加しながら該廃白土含有土壌を攪拌洗浄し、該洗浄槽に浮上する油分層を隣接している油分槽に越流させ、しかる後に、該洗浄槽中の泥水を槽外に除去して廃白土含有土壌と油分とを分離する廃白土含有土壌の汚染油洗浄法。
【請求項２】
廃白土含有土壌と洗浄水とを投入する洗浄槽、該洗浄槽に隣接して槽壁の高さを洗浄槽の高さよりも低く構成した油分槽及び洗浄槽の洗浄水を追加し洗浄槽中の泥水を槽外に除去する処理装置から構成される請求項１に記載の廃白土含有土壌の汚染油洗浄法に用いる汚染油洗浄施設。
【請求項３】
洗浄槽と油分槽とが、廃白土を含有している油汚染土壌の存在している現地に構築されることを特徴とする請求項２に記載の汚染油洗浄施設。
【発明の詳細な説明】
【０００１】
【発明の属する技術分野】
本発明は、廃白土含有土壌の汚染油洗浄法と汚染油洗浄施設に関し、特に低コストで二次汚染も防止できる廃白土含有土壌の汚染油洗浄法と汚染油洗浄施設に関する。
【０００２】
【従来の技術】
最近になって、他の汚染土壌と同様に油汚染土壌についてもその洗浄方法が注目されている。油汚染土壌は、低濃度レベルのものに関しては生物浄化が主流を成しており、中高濃度のものに関しては低温加熱することで処分しており、焼却後の浄化土壌はセメント材料として利用されたり、廃棄されることが一般的であった。
【０００３】
一方、石油製品や潤滑油の最終仕上げ工程等に使用され活性白土は、粒子径が２００メッシュ程度の微細粉末であることから、使用後の廃白土中に吸着された油分、不純物は、廃白土中のマクロポーラス内に閉じこめられた状態になっており、通常の砂等に含有している油分の除去とは、発想を変えた修復を考える必要があることが判明した。
【０００４】
土壌環境保全が注目されてきた昨今においては、これまで埋めることで処理していた廃白土についても、その浄化の必要性が高まってきている。そして、油分によって汚染された土壌は、バイオレメディエーション法を適用すると一層効果的に分解されることから、低コストの土壌浄化方法として知られている。
【０００５】
しかるに、廃白土は、バイオメディエーションによってもその除去率が５０％程度と効率が悪く、分解が難しいと考えられてきた。又、土壌と混在している廃白土は、土壌から簡便に分離する安価な技術が開発されていなかった。
【０００６】
以上の状況から、廃白土を含有している土壌に対しては、土壌と廃白土とを混在させたままで熱処理されるか、産廃処分にされることが殆どであった。
【０００７】
しかしながら、中高濃度汚染での低温加熱法や焼却法では、一般にコストが高いものであり、特に、焼却の場合には現地で処理出来ないために処理場まで搬送する必要が有り、運送費と搬送時の二次汚染が懸念されるという問題点も抱えている。
【０００８】
従って、油で汚染された廃白土含有土壌に対しては、廃白土含有土壌と廃棄油とを確実に分離しながら適切に処理することができる、コスト低減されると共に二次汚染を防止できる汚染油の処理法は、未だに提案されていなかった。
【０００９】
【発明が解決しようとする課題】
本発明は、以上の状況に鑑みて適切な処理法を提案するものであり、油汚染された廃白土含有土壌を洗浄することによって、浄化廃白土含有土壌と廃棄油とを確実に分離すると共にそれぞれを適切に処理することでコスト低減と二次汚染の防止を達成できる廃白土含有土壌の汚染油洗浄法と汚染油洗浄施設を提供している。
【００１０】
【課題を解決するための手段】
本発明による廃白土含有土壌の汚染油洗浄法は、廃白土含有土壌を洗浄水の充填された洗浄槽に投入しており、次いで、洗浄水を追加しながら廃白土含有土壌を攪拌洗浄して、洗浄槽に浮上する油分層を隣接している油分槽に越流させている。本汚染油洗浄法では、しかる後に、洗浄槽中の泥水を槽外に除去して廃白土含有土壌と油分とを分離しており、それぞれを適切な処分方法で処理することによってコストの低減と二次汚染の防止を達成している。
【００１１】
又、本発明による汚染油洗浄施設は、上記の廃白土含有土壌の汚染油洗浄法に用いるものであり、廃白土含有土壌と洗浄水とを投入する洗浄槽と洗浄槽に隣接して槽壁の高さを洗浄槽の高さよりも低く構成した油分槽及び洗浄槽の洗浄水を追加し洗浄槽中の泥水を槽外に除去する処理装置から構成され、洗浄槽と油分槽とを廃白土を含有している油汚染土壌の存在している現地に構築することを特徴としており、処理装置で処理することによって廃白土含有土壌と油分とを分離しながらコストの低減と二次汚染の防止を達成している。
【００１２】
【発明の実施の形態】
本発明による汚染油洗浄施設は、廃白土含有土壌と洗浄水とを投入する洗浄槽と洗浄槽に隣接して槽壁の高さを洗浄槽の高さよりも低く構成した油分槽及び洗浄槽の洗浄水を追加し洗浄槽中の泥水を槽外に除去する処理装置から構成され、洗浄槽と油分槽とを廃白土を含有している油汚染土壌の存在している現地に構築することを特徴としており、処理装置で処理することによって廃白土含有土壌と油分とを分離しながらコストの低減と二次汚染の防止を達成している。
以下に、本発明による廃白土含有土壌の汚染油洗浄法と汚染油洗浄施設の実施の形態を図面に基づいて詳細に説明する。
【００１３】
図１は、本発明による汚染油洗浄施設の実施の形態を概要的に示す斜視図である。
【００１４】
本実施の形態における汚染油洗浄施設１は、現地にコンクリートもしくはシートパイルで構築される洗浄槽２と油分槽３及び泥水貯水槽４から構成されるか、同様の簡易水槽によって構成されている。
【００１５】
尚、シートパイルで汚染油洗浄施設１を構築する場合には、洗浄槽２の底部に鉄板、鋼板等の支持層を設置して攪拌時に不都合が発生しないようにしたり、シートパイルが不透水層まで達しておらずに、地下水の影響を大きく受けることが懸念される場合には、底部に排水ポンプを設置しておくことも可能である。
【００１６】
洗浄槽２には、処理対象の廃白土含有土壌５と水道水、工水、地下水等から成る洗浄水６とを投入するものであり、油分槽３は洗浄槽２に隣接して構成されていて隣接壁７は、その高さを洗浄槽２の障壁８の高さよりも高差９の分だけ低くしてある。
【００１７】
本実施の形態における高差９の大きさは、所定値に固定されているが、後述する油層１０を洗浄槽２から越流させるのに適当な値に設定されるものであり、油層１０の厚さに対応させてその値を変更できるように、隣接壁７の上に調整可能な溢流部材を配置することもできる。又、油層１０を掻取りレーキのようなもので効率的に越流させる手段を設置させることもできる。
【００１８】
油分槽３には、廃白土含有土壌５から分離してくる汚染油１１を貯槽することになるが、油分槽３に隣接させて配置している泥水貯水槽４には、洗浄槽２に発生する泥水１２を一時的に貯蔵するものであり、本実施の形態では油分槽３に隣接させているものの、場合によっては他の適当な位置に設置することも可能である。
【００１９】
洗浄槽２の泥水は、廃白土含有土壌５の汚染物が洗浄後の一時的な放置によって懸濁液として分離してくるものであるが、洗浄槽２の中間位置から適宜のポンプによって泥水貯水槽４に移動されるものである。
【００２０】
次ぎに、本発明による廃白土含有土壌の汚染油洗浄法について説明する。
本発明による廃白土含有土壌の汚染油洗浄法は、廃白土含有土壌を洗浄水の充填された洗浄槽に投入しており、次いで、洗浄水を追加しながら廃白土含有土壌を攪拌洗浄して、洗浄槽に浮上する油分層を隣接している油分槽に越流させている。本汚染油洗浄法では、しかる後に、洗浄槽中の泥水を槽外に除去して洗浄された廃白土含有土壌と油分とを分離しており、それぞれを泥水処理装置や油分処理装置等で適切に処理することで、無害化しながらコストの低減と二次汚染の防止を達成している。
【００２１】
図２〜４は、本発明による汚染油洗浄法の実施の形態を工程的に示すものであり、図２は、油汚染された廃白土含有土壌の攪拌洗浄と汚染油及び汚染物の分級工程を示している。
【００２２】
廃白土は、一般に砂分の表面に付着しているので、砂中の油分は、機械的な攪拌によって廃白土を砂から剥離させることで、減少させることが出来る。しかして、油汚染された廃白土含有土壌５は、汚染油洗浄施設１の洗浄槽２に洗浄水６と共に投入される。（図２（ａ））
又、廃白土含有土壌５と洗浄水６との混合に困難が懸念される場合は、投入前に混合装置等を用いて混練することで洗浄水を予め懸濁状態にすることも考慮されている。
【００２３】
図２（ｂ）の工程は、攪拌洗浄の状態を示しているが、油汚染された廃白土含有土壌５と洗浄水６とは、バックホウ１３のスケルトンバケット１４や攪拌機を用いて攪拌されながら洗浄されるものであり、次いでの工程は、そのまま放置することで廃白土５と汚染油１１の油層１０及び汚染土壌が懸濁した泥水１２に分画させている。（図２（ｃ））
汚染油１１が大量に浮くことで油層１０が形成される場合には、図２（ｄ）に示す工程のように、洗浄槽２に洗浄水６を追加することで油層１０を油分槽３に越流させており、汚染油１１を油分槽３に貯留させている。
【００２４】
図３に示す工程は、泥水を泥水貯水槽４に移動する状態を表現しており、洗浄槽２の泥水１２を適宜のポンプ１５によって泥水貯水槽４に移動させている。
【００２５】
従って、洗浄槽２には、洗浄された廃白土含有土壌５’が残留され、汚染油１１を油分槽３に貯留させると同時に、泥水１２を泥水貯水槽４に一時的に貯留することになるが、泥水１２は、適時に所定の泥水処理装置によって処理されて再度の洗浄水として利用するか、施設外に放流している。
【００２６】
油汚染された廃白土含有土壌５の洗浄処理は、上記図２、３に示した工程を繰り返すことによって、汚染油を廃白土含有土壌５から除去して行くものであり、最終的には、廃白土含有土壌５’と汚染油１１及び泥水１２をそれぞれに分画して汚染油洗浄施設１に貯留することになる。
【００２７】
図４は、洗浄完了後の処理工程について表現している。
本工程では、洗浄された後の廃白土含有土壌５’が回収されると共に、汚染油１１は脱水後に産業廃棄物として適切に処分される。そして、泥水１２は、上述したように泥水処理装置によって適宜に処理されているが、最終時の泥水も、処理後に洗浄水として利用したり、施設外に放流している。
【００２８】
以上のように、本発明による廃白土含有土壌の汚染油洗浄法は、現地で簡便に処理できることから、処分費を低減できると共に二次汚染の心配もないものであり、その除去状況も以下のように極めて良好である。
【００２９】
本検証は、廃白土汚染土壌に５倍量の水道水（１０℃）あるいは湯（５０℃）を入れて、機械的に１０〜２０回攪拌した後に約１分間静置したものであるが、その結果は、表−１、表−２に見られるように、水でも５回の洗浄で湯の場合と同様の油分濃度に達しており、汚染油がよく除去されることを確認できている。
【００３０】
【表−１】
2004089792.tif 000003
【００３１】
【表−２】
2004089792.tif 000004
【００３２】
又、洗浄した後に発生した泥水は、ＰＡＣ１００ｍｇ／Ｌの添加によって十分に凝集されており、土壌と水とを完全に分離することができた。
【００３３】
以上、本発明を実施の形態に基づいて詳細に説明してきたが、本発明による廃白土含有土壌の汚染油洗浄法と汚染油洗浄施設は、上記実施の形態に何ら限定されるものでなく、汚染油洗浄施設の具体的な形状や材質等に関して、本発明の趣旨を逸脱しない範囲において種々の変更が可能であることは当然のことである。
【００３４】
【発明の効果】
本発明による廃白土含有土壌の汚染油洗浄法は、廃白土含有土壌を洗浄水の充填された洗浄槽に投入しており、次いで、洗浄水を追加しながら廃白土含有土壌を攪拌洗浄して、洗浄槽に浮上する油分層を隣接している油分槽に越流させている。本汚染油洗浄法では、しかる後に、洗浄槽中の泥水を槽外に除去して廃白土含有土壌と油分とを分離しているので、それぞれを適切な処分方法で処理することによって以下の効果を発揮している。
【００３５】
▲１▼　特別な薬剤を用いないので、環境に優しい。
▲２▼　除去率の低い廃白土の浄化が可能。
▲３▼　水洗浄なので浄化後の土質変化がなく、再利用の使途が広い。
▲４▼　コストの低減と二次汚染の防止とを達成できる。
【００３６】
又、本発明による汚染油洗浄施設は、上記の廃白土含有土壌の汚染油洗浄法に用いるものであり、廃白土含有土壌と洗浄水とを投入する洗浄槽と洗浄槽に隣接して槽壁の高さを洗浄槽の高さよりも低く構成した油分槽及び洗浄槽の洗浄水を追加し洗浄槽中の泥水を槽外に除去する処理装置から構成され、洗浄槽と油分槽とを廃白土を含有している油汚染土壌の存在している現地に構築することを特徴としているので、処理装置で処理することによって廃白土含有土壌と油分とを分離しながら上記と同様にコストの低減と二次汚染の防止を達成できる等の効果を発揮している。
【図面の簡単な説明】
【　図１】本発明による汚染油洗浄施設の概要斜視図
【　図２】本発明による廃白土含有土壌の汚染油洗浄法の油分離工程図
【　図３】本発明による廃白土含有土壌の汚染油洗浄法の泥水移動工程図
【　図４】本発明による廃白土含有土壌の汚染油洗浄法の分級工程図
【符号の説明】
１　汚染油洗浄施設、　２　洗浄槽、　３　油分槽、　４　泥水貯水槽、
５　廃白土含有土壌、　５’　洗浄された廃白土含有土壌、　６　洗浄水、
７　隣接壁、　８　障壁、　９　高差、　１０　油層、　１１　汚染油、
１２　泥水、　１３　バックホウ、　１４　スケルトンバケット、
１５　ポンプ、
【図１】
2004089792.tif 000005
【図２】
2004089792.tif 000006
【図３】
2004089792.tif 000007
【図４】
2004089792.tif 000008